(57)【要約】【課題】深い調光が可能で、雑音を低減でき、調光制御時の始動性を向上させた無電極放電灯点灯装置を供給する。【解決手段】無電極放電灯に近接配置された誘導コイルに高周波電力を供給する高周波回路を制御する制御回路は、誘導コイルに無電極放電灯を点灯させる電圧を連続して供給するフル点灯動作と、誘導コイルの印加電圧が無電極放電灯を点灯させる電圧となる第１の期間と無電極放電灯を点灯維持できない電圧となる第２の期間とを所望の時間比となるように交互に繰り返す間欠点灯動作とを切り替える手段を備え、第１の期間と第２の期間との切り替え時において、誘導コイルに印加する電圧を連続的に変化させるとともに、フル点灯動作から間欠点灯動作への切り替え時には、第１の期間と第２の期間の時間比を所望の時間比となるまで連続して変化させる。【選択図】図１
2009129788.tif 000002
【特許請求の範囲】
【請求項１】
透光性を有する材料からなるバルブに放電ガスが封入されてなる無電極放電灯に近接配置される誘導コイルと、誘導コイルが巻回された磁性体と、誘導コイルに高周波電力を供給する高周波回路と、高周波回路を制御する制御回路とを備え、
前記制御回路は、誘導コイルに無電極放電灯を点灯させる電圧を連続して供給するフル点灯動作と、誘導コイルの印加電圧が無電極放電灯を点灯させる電圧となる第１の期間と無電極放電灯を点灯維持できない電圧となる第２の期間とを所望の時間比となるように交互に繰り返す間欠点灯動作とを切り替える手段を備え、
第１の期間と第２の期間との切り替え時において、誘導コイルに印加する電圧を連続的に変化させるとともに、
フル点灯動作から間欠点灯動作への切り替え時には、第１の期間と第２の期間の時間比を所望の時間比となるまで連続して変化させることを特徴とする無電極放電灯点灯装置。
【請求項２】
第１の期間と第２の期間の時間比を所望の時間比となるまで連続して変化させる期間は、無電極放電灯のフル点灯動作時における電離周波数の逆数より長いことを特徴とする請求項１に記載の無電極放電灯点灯装置。
【請求項３】
間欠点灯動作からフル点灯動作への切り替え時には、第１の期間と第２の期間の時間比を所望の時間比からフル点灯動作まで連続して変化させるとともに、その変化に要する期間は、フル点灯動作から間欠点灯動作への切り替え時に第１の期間と第２の期間の時間比を所望の時間比となるまで連続して変化させる期間よりも短いことを特徴とする請求項１または２に記載の無電極放電灯点灯装置。
【請求項４】
前記第１の期間と第２の期間の時間比に応じて、第１の期間と第２の期間の繰返し周期を可変とすることを特徴とする請求項１〜３のいずれかに記載の無電極放電灯点灯装置。
【請求項５】
請求項１〜４のいずれかに記載の無電極放電灯点灯装置を備える照明器具。
【発明の詳細な説明】
【技術分野】
【０００１】
本発明は、無電極放電灯の間欠点灯動作とフル点灯動作を切り替え可能な無電極放電灯点灯装置及びその照明器具に関するものである。
【背景技術】
【０００２】
図８は、従来の無電極放電灯点灯装置の回路図であり、直流電源回路５と、無電極放電灯１と、直流電源回路５からの直流電力に基づいて無電極放電灯１に高周波電力を供給する高周波回路４とを主要部として構成されている。高周波回路４は、発振器４１、高周波電力増幅器４２、整合回路４３、フィルタ回路４４、スイッチング素子４５、フォトカプラ４６、信号変換回路４７を備えており、誘導コイル２に高周波電力を供給する。信号変換回路４７は、調光制御信号である直流電圧Ｖｓをその電圧レベルに対応したデューティ比を持つ時分割出力制御用の信号Ｖｏｕｔに変換して高周波回路４のフォトカプラ４６に出力するように構成されている。
【０００３】
制御信号線を介して入力される直流電圧Ｖｓ＝Ｖｍａｘのときには、高周波回路４から出力される高周波電力のＯＮデューティも１００％で、フル点灯動作となる。無電極放電灯１を調光するために、直流電圧Ｖｓを次第に減少させると、これに伴って信号変換回路４７の出力信号Ｖｏｕｔのデューティ比が小さくなるので、これに比例して高周波回路４の高周波電力が間欠出力される際のＯＮデューティも減少し、間欠点灯動作となる。
【０００４】
図８の回路では、間欠点灯動作時にスイッチング素子４５のオン・オフにより高周波電力増幅器４２の出力をオン・オフさせているが、特許文献１（特開平６−４５０８７号公報）には、直流電源回路５から高周波回路４への電源供給を調光制御用デューティ信号に同期してオン・オフすることで間欠点灯動作させる技術が開示されている。
【０００５】
また、特許文献２（特開２０００−３５３６００号公報）では、高周波回路の発振動作をオン・オフさせるのではなく、周波数シフト・キーイング（ＦＳＫ）を用いることで無電極放電灯を間欠点灯動作させており、高周波回路の発振を継続したまま、発振周波数をシフトさせることで、誘導コイルの印加電圧が無電極放電灯を点灯させる電圧となる第１の期間と無電極放電灯を点灯維持できない電圧となる第２の期間とを所望の時間比となるように交互に繰り返すことにより、無電極放電灯を調光制御している。
【特許文献１】特開平６−４５０８７号公報
【特許文献２】特開２０００−３５３６００号公報
【発明の開示】
【発明が解決しようとする課題】
【０００６】
特許文献１では、無電極放電灯を間欠点灯動作させるために、高周波回路の発振をオン・オフさせているので、ランプ点灯時および消灯時に誘導コイルの両端電圧が急峻に変化するため、高い雑音が発生する。また、ランプ消灯期間が長くなると、その間は誘導コイルの励磁が無くなるので、高周波回路の発振が再開してからランプが点灯するまでの始動時間が長く掛かることになり、間欠点灯動作による調光範囲が狭くなる。
【０００７】
特許文献２では、無電極放電灯を間欠点灯動作させるために、高周波回路の発振動作をオン・オフさせるのではなく、周波数シフト・キーイング（ＦＳＫ）を用いることで無電極放電灯の点灯動作と消灯動作を切り替えているから、高周波回路の発振動作そのものは継続されており、間欠点灯動作時における誘導コイルの両端電圧の変化は特許文献１の場合に比べると緩和されている。
【０００８】
しかしながら、特許文献１、２では、フル点灯動作から間欠点灯動作に切り替える際の制御については言及されていない。フル点灯動作から間欠点灯動作に急峻に切り替えた場合、フル点灯動作では、無電極放電灯内に多くの電力が供給され、プラズマが多く、温度が高い状態であるが、この状態から間欠点灯動作に急峻に切り替えると、無電極放電灯内に供給される電力が少なくなり、プラズマが減少し、温度が低い状態に急激に変化することになる。この場合、一時的に供給電力は少なくなったものの、プラズマの減少や温度の低下が追いつかない状態が発生し、プラズマが不安定になる状態が生じ、雑音の発生や立ち消えの可能性が起こる。
【０００９】
本発明は、上記事由に鑑みてなされたものであり、その目的は、深い調光が可能であるとともに、雑音を低減でき、更に、調光制御時の始動性を向上させた無電極放電灯点灯装置を供給することにある。
【課題を解決するための手段】
【００１０】
請求項１の発明は、上記の課題を解決するために、図１〜図３に示すように、透光性を有する材料からなるバルブに放電ガスが封入されてなる無電極放電灯１に近接配置される誘導コイル２と、誘導コイル２が巻回された磁性体３と、誘導コイル２に高周波電力を供給する高周波回路４と、高周波回路４を制御する制御回路６とを備え、前記制御回路６は、誘導コイル２に無電極放電灯１を点灯させる電圧を連続して供給するフル点灯動作と、誘導コイル２の印加電圧が無電極放電灯１を点灯させる電圧となる第１の期間と無電極放電灯１を点灯維持できない電圧となる第２の期間とを所望の時間比となるように交互に繰り返す間欠点灯動作とを切り替える手段を備え、第１の期間と第２の期間との切り替え時において、誘導コイル２に印加する電圧を連続的に変化させるとともに、フル点灯動作から間欠点灯動作への切り替え時には、第１の期間と第２の期間の時間比を所望の時間比となるまで連続して変化させることを特徴とするものである。
【００１１】
請求項２の発明は、請求項１の発明において、第１の期間と第２の期間の時間比を所望の時間比となるまで連続して変化させる期間は、無電極放電灯のフル点灯動作時における電離周波数の逆数より長いことを特徴とする。
【００１２】
請求項３の発明は、請求項１または２の発明において、間欠点灯動作からフル点灯動作への切り替え時には、第１の期間と第２の期間の時間比を所望の時間比からフル点灯動作まで連続して変化させるとともに、その変化に要する期間は、フル点灯動作から間欠点灯動作への切り替え時に第１の期間と第２の期間の時間比を所望の時間比となるまで連続して変化させる期間よりも短いことを特徴とする。
【００１３】
請求項４の発明は、請求項１〜３の発明において、前記第１の期間と第２の期間の時間比に応じて、第１の期間と第２の期間の繰返し周期を可変とすることを特徴とする。
【００１４】
請求項５の発明は、請求項１〜４のいずれかに記載の無電極放電灯点灯装置を備える照明器具である（図６、図７）。
【発明の効果】
【００１５】
本発明によれば、誘導コイルに無電極放電灯を点灯させる電圧を連続して供給するフル点灯動作と、誘導コイルの印加電圧が無電極放電灯を点灯させる電圧となる第１の期間と無電極放電灯を点灯維持できない電圧となる第２の期間とを所望の時間比となるように交互に繰り返す間欠点灯動作とを切り替える手段を備える無電極放電灯点灯装置において、第１の期間と第２の期間との切り替え時において、誘導コイルに印加する電圧を連続的に変化させるとともに、フル点灯動作から間欠点灯動作への切り替え時には、第１の期間と第２の期間の時間比を所望の時間比となるまで連続して変化させるようにしたので、無電極放電灯内に多くの電力が供給され、プラズマが多く、温度が高い状態から、無電極放電灯内への供給電力が少なくなり、プラズマが減少し、温度が低い状態に急激に変化することを回避でき、これにより、従来のように、一時的に供給電力は少なくなったものの、プラズマの減少や温度の低下が追いつかないことでプラズマが不安定になり、雑音が発生したり、立ち消えが起きることを回避することができる。
【発明を実施するための最良の形態】
【００１６】
以下、本発明を実施するための最良の形態について、図面を参照しながら説明する。
（実施形態１）
本発明の実施形態１の動作を図１に示す。また、本実施形態の回路構成を図２に示す。
【００１７】
無電極放電灯１は、例えばガラスのような透光性を有する材料からなるバルブに放電ガスが封入されてなる。放電ガスは、アルゴンやクリプトンといった不活性ガスや、水銀ガスやナトリウムガスといった金属蒸気で構成される。
【００１８】
無電極放電灯点灯装置は、無電極放電灯１に近接配置される誘導コイル２を有し、誘導コイル２に高周波電力を供給して無電極放電灯１のバルブ内に高周波電磁界を発生させることにより放電を発生させて紫外線を生じさせるものである。紫外線でなく可視光を利用する一般的な照明用の無電極放電灯では、紫外線を可視光に変換する蛍光体がバルブの内面に塗布される。
【００１９】
無電極放電灯１の始動時においては、放電灯の内部に電極がないために、始動時に放電灯内に電子を発生させるためには、高い電界を発生させる必要がある。この電界を放電灯の外部に配置した誘導コイル２から印加することにより発生させるために、誘導コイル２は高い電磁界を発生させる必要がある。また、誘導コイル２は、少ない電流で高い電磁界を発生させると共に、発生した電磁界を効率よく放電灯内のプラズマと結合させるために、磁性体３に誘導コイル２が巻回される構成となっている。
【００２０】
無電極放電灯点灯装置は、誘導コイル２を介して無電極放電灯１に高周波電力を供給する高周波回路４と、高周波回路４へ直流電圧を供給する電源回路５と、高周波回路４の発振周波数を制御する制御回路６とを有する。
【００２１】
電源回路５は交流電源ＡＣに接続され、交流電源ＡＣから供給される電流の力率を良好に保ちながら高周波回路４へ直流電圧を供給する。
【００２２】
高周波回路４は、スイッチング素子Ｑ１、スイッチング素子Ｑ２が直列に接続されたハーフブリッジ回路であり、スイッチング素子Ｑ１とスイッチング素子Ｑ２の接続点にインダクタンス素子Ｌｓの一端が接続され、インダクタンス素子Ｌｓの他端にはフィルムコンデンサＣｐ、フィルムコンデンサＣｓの各一端が接続されている。フィルムコンデンサＣｐの他端はスイッチング素子Ｑ２に接続されている。フィルムコンデンサＣｓの他端は誘導コイル２に接続されている。
【００２３】
スイッチング素子Ｑ１とＱ２は駆動部４０から供給されるゲート信号により交互にオン・オフされ、これによりインダクタンス素子Ｌｓ、コンデンサＣｓ，Ｃｐ及び誘導コイル２よりなる共振回路には共振電流が流れ、誘導コイル２にはスイッチングの周波数ｆｉｎｖに応じた電圧Ｖｃｏｉｌが印加される。
【００２４】
図３は動作周波数ｆｉｎｖと誘導コイル２への出力電圧Ｖｃｏｉｌの関係を示す共振特性図である。無負荷時の共振周波数をｆ０とすると、周波数ｆ１で動作させると、誘導コイル２への出力電圧Ｖｃｏｉｌは始動電圧Ｖｓｔを越えることになり、無電極放電灯１は点灯する。無電極放電灯１が点灯すると、その負荷インピーダンスにより共振回路のＱが下がり、無負荷時の共振特性から点灯時の共振特性に移行する。周波数をｆ１→ｆ２→ｆ３のように連続的に上昇させて行くと、周波数ｆ２では誘導コイル２への出力電圧Ｖｃｏｉｌは立ち消え電圧Ｖｏｆｆよりも高いので、点灯は維持されているが、周波数ｆ３まで上昇させると、誘導コイル２への出力電圧Ｖｃｏｉｌは立ち消え電圧Ｖｏｆｆよりも低くなるので、無電極放電灯１は消灯する。これにより、共振特性は点灯時の特性から無負荷時の特性に移行する。無電極放電灯１を再点灯させるには、周波数をｆ３→ｆ２→ｆ１のように連続的に降下させて行く。周波数ｆ２では無負荷時の共振特性上で始動電圧Ｖｓｔに達していないので、無電極放電灯１は始動しないが、周波数ｆ１まで低下させると、無負荷時の共振特性上で始動電圧Ｖｓｔを越えるので、無電極放電灯１は再び点灯する。以下、同じ動作を繰り返すことにより、間欠点灯動作させることができる。
【００２５】
制御回路６は、誘導コイル２に無電極放電灯１を点灯させる電圧を連続して維持するフル点灯動作と、誘導コイル２の印加電圧が無電極放電灯１を点灯させる電圧となる第１の期間と無電極放電灯１を点灯維持できない電圧となる第２の期間とを所望の時間比となるように交互に繰り返す間欠点灯動作とを切り替える手段を備え、第１の期間と第２の期間との切り替え時において、誘導コイル２に印加する電圧を連続的に変化させるとともに、フル点灯動作から間欠点灯動作への切り替え時には、第１の期間と第２の期間の時間比を所望の時間比となるまで連続して変化させる。なお、フル点灯動作時には始動時の周波数ｆ１で動作させても良いが、周波数ｆ１で始動させた後、周波数ｆ２でフル点灯動作させるように制御しても構わない。
【００２６】
誘導コイル２に印加する電圧の時間変化を図１に示す。図１（ａ）は誘導コイル２への出力電圧Ｖｃｏｉｌの波形であり、図１（ｂ）は高周波回路４の動作周波数ｆｉｎｖである。フル点灯動作時には、図１の期間Ａの状態である。ここから、期間Ｂ〜Ｆの間は、無電極放電灯１を点灯させる電圧となる第１の期間と無電極放電灯１を点灯維持できない電圧となる第２の期間の時間比を徐々に変化させ、所望の時間比（この場合は約１：１）となるまで変化させている。所望の時間比となった期間Ｇ以降は、この時間比を維持する。これにより、間欠点灯動作による調光状態となる。
【００２７】
誘導コイル２に高周波電力を供給する高周波回路４として、図３のような動作周波数ｆｉｎｖと誘導コイル２への出力電圧Ｖｃｏｉｌの特性を持つ電源を用いた場合、動作周波数ｆｉｎｖの時間変化は図１（ｂ）のようになる。
【００２８】
図１では、フル点灯動作から間欠点灯動作に移行する場合の動作について説明したが、これとは逆に、間欠点灯動作からフル点灯動作への切り替え時には、期間Ｇの状態から、期間Ｆ→期間Ｅ→期間Ｄ→期間Ｃ→期間Ｂを経て、期間Ａに戻すように制御すれば良い。この場合、その変化に要する期間は、フル点灯動作から間欠点灯動作への切り替え時に第１の期間と第２の期間の時間比を所望の時間比となるまで連続して変化させる期間よりも短く設定しても構わない。なぜなら、フル点灯動作に移行する場合には、無電極放電灯１への供給電力が増加する方向の変化であるので、立ち消えの恐れが少ないからである。
【００２９】
また、間欠点灯動作において、第１の期間と第２の期間の時間比に応じて、第１の期間と第２の期間の繰返し周期を可変とすることが好ましい。例えば、深い調光時には、点滅の繰り返し周期を短くすることにより、立ち消えの恐れを少なくできると共に、光のちらつきを目立たなくすることができる。
【００３０】
（実施形態２）
本発明の実施形態２の回路図を図４に示す。基本的な構成は実施形態１の図２と同じであるが、制御回路６の詳細な構成を示したものである。交流電源ＡＣに接続され直流電圧を出力する電源回路５と、電源回路５に接続され誘導コイル２の高周波電力を供給する高周波回路４を有する。高周波回路４はハーフブリッジ回路を例示しているが、他の回路構成であっても良い。
【００３１】
制御回路６は、高周波回路４のスイッチング素子Ｑ１，Ｑ２を駆動する周波数を決定する第１の発振部６１と、間欠点灯動作時の点灯期間と消灯期間の時間比を決定する第２の発振部６２を備えている。第１の発振部６１の発振周波数は数十ｋＨｚ〜数ＭＨｚ程度の高周波であり、第２の発振部６２の発振周波数は数百Ｈｚ〜数ｋＨｚ程度の低周波である。第２の発振部６２は低周波の三角波電圧を発生させ、比較部６３の第１の入力としている。比較部６３の第２の入力には、調光用の基準電位を発生させる電圧源６４から基準電位が印加されている。比較部６３は第１の入力と第２の入力を比較して、その比較結果に応じてトランジスタＱ３のオン・オフを切り替える。
【００３２】
第１の発振部６１は汎用の集積回路などを用いて構成され、その発振周波数は外付けのコンデンサＣ１と抵抗Ｒ１により決定される。ここでは、コンデンサＣ１と抵抗Ｒ１の時定数では図３の点灯時周波数ｆ１で発振するように設定されている。抵抗Ｒ１と並列に抵抗Ｒ３とトランジスタＱ３の直列回路が接続されており、トランジスタＱ３がオンのときには、抵抗Ｒ１に抵抗Ｒ３が並列接続されることになる。このとき、抵抗Ｒ１，Ｒ３の並列抵抗とコンデンサＣ１の時定数では図３の消灯時周波数ｆ３で発振するように設定されている。
【００３３】
したがって、トランジスタＱ３がオフのときには、周波数ｆ１で発振し、トランジスタＱ３がオンのときには、周波数ｆ３で発振することになる。
【００３４】
ここで、図示はしないが、トランジスタＱ３のベース・エミッタ間またはコレクタ・エミッタ間にコンデンサを並列接続しておけば、図１（ｂ）に示すように、周波数ｆ１→ｆ３の変化、周波数ｆ３→ｆ１の変化を連続的に行うことができ、これにより誘導コイル２への印加電圧Ｖｃｏｉｌの急峻な変化を緩和し、磁性体３の振動を抑制できる。
【００３５】
調光用の基準電位を発生させる電圧源６４について説明する。フル点灯時は、電圧源６４の基準電位が低く、常に三角波よりも低い値としているため、比較部６３の出力はＬｏｗレベルとなり、トランジスタＱ３はオフとなり、発振部６１の動作周波数は低く、点灯時周波数ｆ１となり、誘導コイル２に出力される電圧は無電極放電灯１を点灯させる電圧となる。
【００３６】
間欠点灯動作時には、電圧源６４の基準電位は高い値となり、以下の第１の期間と第２の期間を繰り返す。
【００３７】
三角波が基準電位よりも高いときは、比較部６３の出力はＬｏｗレベルとなり、トランジスタＱ３はオフとなり、発振部６１の動作周波数ｆｉｎｖは低く、点灯時周波数ｆ１となり、誘導コイル２に出力される電圧Ｖｃｏｉｌは無電極放電灯１を点灯させる電圧となる（第１の期間）。
【００３８】
三角波が基準電位よりも低いときは、比較部６３の出力はＨｉｇｈレベルとなり、トランジスタＱ３がオンとなり、発振部６１の動作周波数ｆｉｎｖは高く、消灯時周波数ｆ３となり、誘導コイル２に出力される電圧Ｖｃｏｉｌは無電極放電灯１を点灯維持できない電圧となる（第２の期間）。
【００３９】
フル点灯動作から間欠点灯動作への切り替え時には、電圧源６４から出力される基準電位を低い値から高い値へと徐々に変化させることで、図１の期間Ａ→期間Ｂ→期間Ｃ→期間Ｄ→期間Ｅ→期間Ｆ→期間Ｇのように、第１の期間と第２の期間の比を所望の時間比となるまで連続して変化させることが可能となる。
【００４０】
これにより、簡単な構成で本発明の周波数制御を実現することができ、また、切り替えにおける雑音なども少なくて済む。
【００４１】
（実施形態３）
図５は本実施形態の無電極放電灯点灯装置で用いるバルブの断面図である。この図５に示すように、無電極放電灯１は、断面凹形状の空洞部１ｂを有し、内部に放電ガスが封入されてなる略球状のバルブ１ａから構成されるもので、フェライトコアを有する誘導コイル２は、バルブ１ａの空洞部１ｂ内に挿入されるものである。無電極放電灯点灯装置の回路構成は実施形態１または２と同じで良い。
【００４２】
誘導コイル２は、無電極放電灯１の内部に封入された放電ガスに高周波電磁界を供給するものであり、導電性を有する線材が複数ターン巻回されている。２３は誘導コイル２を保持するボビンであり、ボビン２３内部に収納された略筒状の磁性体コア３を備えている。磁性体コア３は、例えば高周波磁気特性の良好な、Ｍｎ−Ｚｎのフェライトからなり、アルミ等の金属材料で形成された放熱体２１によって保持される。磁性体コア３の発熱は、放熱体２１を介して台座部２０に捨てられる。なお、磁性体コア３と放熱体２１の間に金属の板材を丸めて渦巻き状にしたバネ部材２２を介在させ、磁性体コア３と放熱体２１とを熱的に接続してある。
【００４３】
本実施形態の無電極放電灯１は、直径約１１０ｍｍの略球形のバルブ１ａに、内径約３０ｍｍ、奥行き８０ｍｍの空洞部１ｂを設け、この空洞部１ｂに誘導コイル２と磁性体コア３を配設している。バルブ１ａには、水銀とアルゴンガスが約４０パスカルの圧力で封入されている。
【００４４】
このバルブの電離周波数を計算すると、０℃、アルゴン１０１３２５パスカル中の水銀イオンの移動度は、
μｏ＝１．８５ｃｍ2 ／Ｖ・ｓ
【００４５】
したがって、０℃アルゴン４０パスカル中の水銀イオンの移動度は、
μ＊＝１．８５×１０１３２５／４０＝４６８６ｃｍ2 ／Ｖ・ｓ
【００４６】
点灯中のアルゴン温度を６０℃程度とすると、
μ＝４６８６×√（（２７３＋６０）／２７３）＝５１７５ｃｍ2 ／Ｖ・ｓ
【００４７】
したがって、この条件での両極性拡散係数は電子温度を１．５ｅＶとすると、
Ｄａ＝（ｋＴｅ／ｅ）μ＝１．５×５１７５＝７７６３ｃｍ2 ／ｓ＝０．７７６３ｍ2 ／ｓ
【００４８】
放電プラズマを直径３６ｍｍのドーナツ状と仮定すると、半径は１８ｍｍとなるから、
電離周波数ν＝（２．４／Ｒ）2 ×Ｄａ＝｛２．４／（１８×１０-3）｝2 ×０．７７６３＝１３８００／ｓとなり、電離周波数の逆数は７２μｓｅｃである。
【００４９】
この電離周波数の逆数（７２μｓｅｃ）以上の時間をかけてフル点灯動作から第１の期間と第２の期間の時間比を所望の時間比となるまで連続して変化させるようにすると、無電極放電灯内に多くの電力が供給され、プラズマが多く、温度が高い状態から、電力が少なくなり、プラズマが減少し、温度が低い状態に急激に変化することを回避できる。これにより、従来のように、一時的に供給電力は少なくなったものの、プラズマの減少や温度の低下が追いつかないことでプラズマが不安定になり、雑音が発生したり、立ち消えが起きることを回避することができる。
【００５０】
（実施形態４）
無電極放電灯点灯装置は、図６の街路灯１１や図７の防犯灯１２のような照明器具内に無電極放電灯１と共に収納されて用いられ、実施形態１〜３と同様な効果が得られる。
【図面の簡単な説明】
【００５１】
【図１】本発明の実施形態１の動作説明のための波形図である。
【図２】本発明の実施形態１の点灯装置の構成を示す回路図である。
【図３】本発明の実施形態１の点灯装置の共振特性を示す特性図である。
【図４】本発明の実施形態２の回路図である。
【図５】本発明の実施形態３に用いるバルブの構成を示す断面図である。
【図６】本発明の実施形態４における照明器具の一部を破断して示した正面図である。
【図７】本発明の実施形態４における照明器具の一部を透視して示した側面図である。
【図８】従来例の回路図である。
【符号の説明】
【００５２】
１  無電極放電灯
２  誘導コイル
３  磁性体
４  高周波回路
５  電源回路
６  制御回路
【図１】
2009129788.tif 000003
【図２】
2009129788.tif 000004
【図３】
2009129788.tif 000005
【図４】
2009129788.tif 000006
【図５】
2009129788.tif 000007
【図６】
2009129788.tif 000008
【図７】
2009129788.tif 000009
【図８】
2009129788.tif 000010